(57)【要約】【課題】エアーの抜けを良好にするとともに外端側の第二断続線条シール部の未シール部から異物や虫等が入り込んだり滞留するのを防止し、さらに入り込み滞留した異物や虫が内端側の第一断続線条シール部の通気性の未シール部から包装袋内に進入するのを防止することにある。【解決手段】製袋用フィルムにより製袋した包装袋の一端部に、シール部と通気性未シール部とからなる断続線条シール部を備えた通気性包装袋において、前記断続線条シール部が、包装袋Ａの内端側と外端側に平行に設けた二条の断続線条シール部６、９により構成され、且つ内端側の断続線条シール部６の通気性未シール部８の空間長さｄ１　と、外端側の断続線条シール部９の通気性未シール部１１の空間長さｄ２　との関係がｄ１　≧ｄ２　に設定されている。【選択図】図１
2004099166.tif 000002
【特許請求の範囲】
【請求項１】
製袋用フィルムにより製袋した包装袋の一端部に、シール部と通気性未シール部とからなる断続線状シール部を備えた通気性包装袋において、前記断続線状シール部が、包装袋の内端側と外端側に平行に設けた二条の断続線状シール部により構成され、且つ内端側の断続線状シール部６の通気性未シール部８の空間長さｄ１　が、外端側の断続線状シール部９の通気性未シール部１１の空間長さｄ２　よりも広幅に設定されていることを特徴とする通気性包装袋。
【請求項２】
製袋用フィルムにより製袋した包装袋の一端部に、シール部と通気性未シール部とからなる断続線状シール部を備えた通気性包装袋において、前記断続線状シール部が、包装袋の内端側と外端側に平行に設けた二条の断続線状シール部により構成され、且つ内端側の断続線状シール部６の通気性未シール部８の空間長さｄ１　と、外端側の断続線状シール部９の通気性未シール部１１の空間長さｄ２　が同じ幅（ｄ１　＝ｄ２　）に設定されていることを特徴とする通気性包装袋。
【請求項３】
請求項１又は請求項２記載の通気性包装袋において、前記内端側の断続線状シール部６におけるシール部７の長さＬ７　が、外端側の断続線状シール部９におけるシール部１０の長さＬ１０よりも長目（Ｌ７　＞Ｌ１０）に設定されていることを特徴とする通気性包装袋。
【請求項４】
上記請求項１乃至請求項３のいずれか１項記載の通気性包装袋において、前記内端側の断続線状シール部６におけるシール部７の長さＬ７　が、外端側の断続線状シール部９におけるシール部１０の長さＬ１０の２倍若しくはそれ以上（Ｌ７　≧Ｌ１０×２）に設定されていることを特徴とする通気性包装袋。
【請求項５】
請求項１乃至請求項４のいずれか１項記載の通気性包装袋において、平行に設けた二条の前記内端側の断続線状シール部６と外端側の断続線状シール部９の線条間隔ｄ３　が５〜１０ｍｍであることを特徴とする通気性包装袋。
【発明の詳細な説明】
【０００１】
【発明の属する技術分野】
本発明は、プラスチックフィルムにより製袋した包装袋の一端部にシール部と通気性未シール部とからなる断続線状シール部を備えた米等の穀物類を包装する通気性包装袋に関する。
【０００２】
【従来の技術】
シール部と通気性未シール部とからなる断続線状シール部を備えた米等の穀物類を包装する従来の通気性の包装袋は、例えば、図６（ａ）に示すようにプラスチック製の矩形状の二つ折りフィルムの三方開放端部２、３、５及び折目部４のうち二方端部２、３、又は図６（ｂ）に示すように二枚重ねフィルムの四方開放端部２、３、４、５のうち三方端部２、３、４をヒートシールして製袋されている。
【０００３】
そして、製袋された上記包装袋Ａにおいて、図６（ａ）又は図６（ｂ）に示すように、残りの一方開放端部５の開口部から米等の穀物類を充填した後、その包装袋Ａの開放端部５の内端側に、ヒートシール部７と、穀物類がこぼれ出ない程度のサイズの空間長さｄ１　の通気性の未ヒートシール部８とからなる第一断続線状シール部６が設けられ、その第一断続線状シール部６より外端側に平行に所定間隔を空けて、ヒートシール部１０と、空間長さｄ２　の通気性の未ヒートシール部１１とからなる第二断続線状シール部９を設け、二条の断続線状シール部を設けることにより開放端部５を封鎖して包装されている。
【０００４】
上記従来の通気性包装袋Ａは、図６（ａ）又は図６（ｂ）に示すように、包装袋Ａの内端側の断続線状シール部６の隣接する各シール部７間の通気性未シール部８の空間長さｄ１　が、外端側の断続線状シール部９の通気性の未シール部１１の空間長さｄ２　よりも狭い幅（ｄ１　＜ｄ２　）に形成されている。
【０００５】
【特許文献１】
特開平８−２６３００号公報
【特許文献２】
特開平１１−２９１５３号公報
【０００６】
【発明が解決しようとする課題】
上記包装袋Ａの内端側の第一断続線状シール部６と外端側の第二断続線状シール部９のそれぞれ未シール部８、１１は、包装袋Ａの内と外とのエアー通路となっているが、内端側の通気性未シール部８が外端側の未シール部１１よりも狭いためにエアーの抜けが十分でないものであった。
【０００７】
また、内端側の第一断続線状シール部６の通気性の未シール部８の空間長さｄ１　に比較して、外端側の第二断続線状シール部９の未シール部１１の空間長さｄ２　が広いために、第二断続線状シール部９の未シール部１１から第一断続線状シール部６と第二断続線状シール部９との隙間に異物や虫等が入り込み、滞留し易く、さらに入り込み滞留した異物や虫が、内端側の第一断続線状シール部６の通気性の未シール部８から包装袋Ａ内の内容物中に進入する恐れがあった。
【０００８】
本発明は、通気性包装袋において、従来のものよりもエアーの抜けを良好にするとともに、第二断続線状シール部の未シール部から異物や虫等が入り込んだり滞留するのを防止し、さらに入り込み滞留した異物や虫が、内端側の第一断続線状シール部の通気性の未シール部から包装袋内に進入するのを防止することにある。
【０００９】
【課題を解決するための手段】
本発明の請求項１に係る発明は、製袋用フィルムにより製袋した包装袋の一端部に、シール部と通気性未シール部とからなる断続線状シール部を備えた通気性包装袋において、前記断続線状シール部が、包装袋の内端側と外端側に平行に設けた二条の断続線状シール部により構成され、且つ内端側の断続線状シール部６の通気性未シール部８の空間長さｄ１　が、外端側の断続線状シール部９の通気性未シール部１１の空間長さｄ２　よりも広幅に設定されていることを特徴とする通気性包装袋である。
【００１０】
本発明の請求項２に係る発明は、製袋用フィルムにより製袋した包装袋の一端部に、シール部と通気性未シール部とからなる断続線状シール部を備えた通気性包装袋において、前記断続線状シール部が、包装袋の内端側と外端側に平行に設けた二条の断続線状シール部により構成され、且つ内端側の断続線状シール部６の通気性未シール部８の空間長さｄ１　と、外端側の断続線状シール部９の通気性未シール部１１の空間長さｄ２　が同じ幅（ｄ１　＝ｄ２　）に設定されていることを特徴とする通気性包装袋である。
【００１１】
本発明の請求項３に係る発明は、上記請求項１又は請求項２に係る通気性包装袋において、前記内端側の断続線状シール部６におけるシール部７の長さＬ７　が外端側の断続線状シール部９におけるシール部１０の長さＬ１０よりも長目（Ｌ７　＞Ｌ１０）に設定されていることを特徴とする通気性包装袋である。
【００１２】
本発明の請求項４に係る発明は、上記請求項１乃至請求項３のいずれか１項に係る通気性包装袋において、前記内端側の断続線状シール部６におけるシール部７の長さＬ７　が、外端側の断続線状シール部９におけるシール部１０の長さＬ１０の２倍若しくはそれ以上（Ｌ７　≧Ｌ１０×２）に設定されていることを特徴とする通気性包装袋である。
【００１３】
本発明の請求項５に係る発明は、上記請求項１乃至請求項４のいずれか１項に係る通気性包装袋において、平行に設けた二条の前記内端側の断続線状シール部６と外端側の断続線状シール部９の線条間隔ｄ３　が５〜１０ｍｍであることを特徴とする通気性包装袋である。
【００１４】
【発明の実施の形態】
本発明の請求項１に係る通気性包装袋の実施の形態を、図１の平面図に基づいて以下に詳細に説明すれば、本発明の通気性包装袋Ａは、二枚重ね又は二つ折り又はシール筒状又はシールレス筒状のプラスチックフィルム又はプラスチックフィルムと、紙、アルミ箔、無機酸化物の蒸着フィルム等のラミネートフィルムからなる複合フィルムによる製袋用フィルムにより製袋されている。
【００１５】
例えば、図１に示すように、矩形状の二つ折り製袋用フィルムの三方開放端部２、３、５及び折目部４のうち二方端部２、３をヒートシールして製袋されている。
【００１６】
そして、製袋された上記包装袋Ａは、残りの開放端部５を内容物充填用の開口部として、その開放端部５から米等の穀物類を充填した後、その包装袋Ａの開放端部５の内端側に、ヒートシール部７と、空間長さｄ１　（必要に応じて穀物類等の内容物がこぼれ出ない程度のサイズ）の通気性の未ヒートシール部８とからなる第一断続線状シール部６が設けられている。
【００１７】
そして、その第一断続線状シール部６より外端側に平行に所定間隔ｄ３　を空けて、ヒートシール部１０と、穀物類等の内容物がこぼれ出ない程度のサイズの空間長さｄ２　の通気性の未ヒートシール部１１とからなる第二断続線状シール部９が設けられていて、二条の断続線状シール部を設けることにより、包装袋Ａの開口部としての開放端部５が封鎖されて包装されている。
【００１８】
図２は、図１の包装袋Ａの開放端部５に二条の断続線状シール部６、９を設けた状態を示す部分拡大平面図であり、本発明の通気性包装袋Ａは、内端側の第一断続線状シール部６の未シール部８の空間長さｄ１　と、外端側の第二断続線状シール部９の未シール部１１の空間長さｄ２　との大小関係はｄ１　＞ｄ２　となっている。
【００１９】
内端側の上記空間長さｄ１　は、内容物の粒径に対して十分小さい数値に設定されてもよいし、内容物の粒径と同程度若しくはそれより大きい数値に設定されていてもよい。
【００２０】
また、外端側の上記空間長さｄ２　は、内容物がこぼれ出ない程度の数値か、又は内容物の粒径に対して十分小さい数値に設定されている。
【００２１】
例えば、一例として、図２に示す内端側の未シール部８の空間長さｄ１　は、米粒など穀物の最少粒径に対して半分程度の１〜２ｍｍ又は２〜５ｍｍ又は３〜８ｍｍ、また、好ましくは５ｍｍ程度に設定され、また外端側の未シール部１１の空間長さｄ２　は、米粒など穀物の最少粒径に対して十分小さい０．３〜０．５ｍｍ又は０．５〜１ｍｍ又は１〜３ｍｍ程度、好ましくは３〜５ｍｍ未満に設定され、二条の断続線状シール部６、９の平行間隔ｄ３　は、１〜２ｍｍ又は２〜３ｍｍ又は２〜５ｍｍ又は４〜８ｍｍ、また、好ましくは５〜１０ｍｍ程度に設定される。
【００２２】
また、一例として、図２に示す内端側のシール部７の幅は２〜３ｍｍ程度で、その長さＬ７　は特に限定しないが、例えば２０ｍｍ程度が適当であり、外端側のシール部１０の幅は２〜３ｍｍ程度で、その長さＬ１０はＬ７　と同じ長さでも、又は短くても長くてもよいが、好ましくはシール部７の長さＬ７　はシール部１０の長さＬ１０の２倍程度、若しくはそれ以上の長さ（Ｌ７　≧Ｌ１０×２）であって、例えば１７〜２０ｍｍ未満のライン状のシール部７、又はそのライン状のシール部７とシール部１０の長さＬ１０が２ｍｍ程度のポイントシールの２種類が適当である。
【００２３】
本発明の上記請求項１に係る通気性包装袋は、内端側の断続線状シール部６の隣接する各シール部７間の通気性の各々未シール部８の空間長さｄ１　が、外端側の断続線状シール部９の通気性の各々未シール部１１の空間長さｄ２　よりも広い幅（ｄ１　＞ｄ２　）に形成されているので、包装袋Ａ内の内容物と直接に接触する内端側の前記第一断続線状シール部６の未シール部８が、穀物類などの粒状物による目詰まりを起こし難くなり、そのため外端側の第二断続線状シール部９の未シール部１１に対する通気性が良くなり、内容物を充填して封鎖した後の包装袋Ａの各々未シール部８、１１によるエアー抜けが良好となる作用がある。
【００２４】
また、内端側の第一断続線状シール部６の通気性の未シール部８の空間長さｄ１　に比較して外端側の第二断続線状シール部９の未シール部１１の空間長さｄ２　は狭く設定してあり、穀物等の粒状内容物の粒径に対して十分小さく設定してあるので、異物や虫等が第二断続線状シール部９の未シール部１１から入り込み難くなり、包装袋Ａ内への進入を防止できる作用がある。
【００２５】
次に、本発明の請求項２に係る通気性包装袋の実施の形態を、図３の平面図、図４の部分拡大平面図、図５の部分拡大平面図に基づいて以下に詳細に説明すれば、本発明の通気性包装袋Ａは、上記請求項１に係る通気性包装袋Ａにおいて、内端側の断続線状シール部６の通気性未シール部８の空間長さｄ１　と、外端側の断続線状シール部９の通気性未シール部１１の空間長さｄ２　が同じ幅（ｄ１　＝ｄ２　）に設定されているものである。
【００２６】
例えば、一例として、図４に示す内端側の未シール部８の空間長さｄ１　と外端側の断続線状シール部９の空間長さｄ２　とは、米粒など穀物の最少粒径に対して半分程度の１〜２ｍｍ又は２〜５ｍｍ又は３〜８ｍｍ、また、好ましくは５ｍｍ程度に設定され、二条の断続線状シール部６、９の平行間隔ｄ３　は、１〜２ｍｍ又は２〜３ｍｍ又は２〜５ｍｍ又は４〜８ｍｍ、また、好ましくは５〜１０ｍｍ程度に設定される。
【００２７】
また、一例として、図４に示す内端側のシール部７の幅は２〜３ｍｍ程度で、その長さＬ７　は特に限定しないが、例えば２０ｍｍ程度が適当であり、外端側のシール部１０の幅は２〜３ｍｍ程度で、その長さＬ１０はＬ７　と同じ長さでも、又は短くても長くてもよいが、好ましくはシール部７の長さＬ７　はシール部１０の長さＬ１０の２倍程度、若しくはそれ以上の長さ（Ｌ７　≧Ｌ１０×２）であって、例えば１７〜２０ｍｍ未満のライン状のシール部７、又はそのライン状のシール部７とシール部１０の長さＬ１０が２ｍｍ程度のポイントシールの２種類が適当である。
【００２８】
また、図４に示す断続線状シール部６を構成する全てのシール部７の長さＬ７　は、同一であってもよいし、それぞれ異なっていてもよい。また断続線状シール部９を構成する全てのシール部１０の長さＬ１０も、同一であってもよいし、それぞれ異なっていてもよい。
【００２９】
例えば、図４に示すように、内端側の断続線状シール部６の各々シール部７の長さＬ７　は全て同一長さであり、外端側（袋端部５側）の断続線状シール部９の各々シール部１０の長さＬ１０は、互いに隣設するシール部１０の長さＬ１０に大小を付けて一つ置きに同じ長さに形成してもよいし、また図５に示すように、内端側の断続線状シール部６の各々シール部７の長さＬ７　を全て同一長さに形成し、外端側（袋端部５側）の断続線状シール部９の各々シール部１０の長さＬ１０も全て同一長さに形成してもよい。また、図４、図５において、内端側の断続線状シール部６の各々シール部７の長さＬ７　と、外端側（袋端部５側）の断続線状シール部９の互いに隣接する二つのシール部１０の間隔ｄ２　と長さ２×Ｌ１０とを加算した長さの関係を、Ｌ７　≠ｄ２　＋２×Ｌ１０と設定してもよいが、Ｌ７　＝ｄ２　＋２×Ｌ１０と設定することにより、内端側の断続線状シール部６と外端側の断続線状シール部９のシールパターンの位相が合致するので好適である。
【００３０】
本発明の上記請求項２に係る通気性包装袋は、内端側の断続線状シール部６の隣接する各シール部７間における通気性の各々未シール部８の空間長さｄ１　が、外端側の断続線状シール部９の通気性の各々未シール部１１の空間長さｄ２　と同じ幅（ｄ１　＝ｄ２　）に形成されるので、例えば、空間長さｄ１　とｄ２　とを３〜８ｍｍ程度に設定し、内端側のシール部７のシール長さＬ７　を１５〜３５ｍｍ程度に設定し、外端側のシール部１０のシール長さＬ１０を５〜１０ｍｍ程度に設定することにより、脱気装置などを使用して強制脱気を行う場合に、脱気装置上でエアーが抜け難い現象を回避することができ、脱気による包装袋の破袋の発生を防止することができるものである。
【００３１】
また、内端側の第一断続線状シール部６の通気性の未シール部８の空間長さｄ１　と、外端側の第二断続線状シール部９の未シール部１１の空間長さｄ２　とを５ｍｍ以下に狭く設定し、穀物等の粒状内容物の粒径に対して十分小さく設定することにより、異物や虫等が第二断続線状シール部９の未シール部１１から入り込み難くなり、包装袋Ａ内への進入を防止できる作用がある。
【００３２】
【発明の効果】
本発明の通気性包装袋は、従来の通気性包装袋よりもエアーの抜けを良好にすることができるとともに、第二断続線状シール部の未シール部から異物や虫等が入り込んだり、滞留したりするのを防止でき、さらに入り込み滞留した異物や虫が包装袋内に進入するのを防止できる効果がある。
【図面の簡単な説明】
【図１】本発明の通気性包装袋の一実施の形態を説明する平面図。
【図２】本発明の通気性包装袋の一実施の形態において形成された平行な二条の断続線状シール部を説明する部分拡大平面図。
【図３】本発明の通気性包装袋の他の実施の形態を説明する平面図。
【図４】本発明の通気性包装袋の他の実施の形態において形成された平行な二条の断続線状シール部を説明する部分拡大平面図。
【図５】本発明の通気性包装袋のその他の実施の形態において形成された平行な二条の断続線状シール部を説明する部分拡大平面図。
【図６】（ａ）〜（ｂ）は従来の通気性包装袋を説明する平面図。
【符号の説明】
Ａ…包装袋
１…製袋用フィルム　２、３、４…端部　５…開放端部
６…包装袋内端側の断続線状シール部　７…シール部　８…未シール部
９…包装袋外端側の断続線状シール部　１０…シール部　１１…未シール部
ｄ１　…内端側の未シール部の空間長さ　　ｄ２　…外端側の未シール部の空間長さ
ｄ３　…線状シール部の平行間隔
Ｌ７　…内端側の断続線状シール部のシール長さ
Ｌ１０…外端側の断続線状シール部のシール長さ
【図１】
2004099166.tif 000003
【図２】
2004099166.tif 000004
【図３】
2004099166.tif 000005
【図４】
2004099166.tif 000006
【図５】
2004099166.tif 000007
【図６】
2004099166.tif 000008